(57)【要約】【目的】録画番組の再生中にデジタルテレビのデータ放送ボタンを押すだけで、メーカ・再生機によらず、録画時に記録した情報を確認できるデジタル放送録画装置を提供すること。【構成】デジタル放送で放送される番組を可搬記憶媒体に記憶するデジタル放送録画装置において、録画番組の情報を取得する情報取得手段と、前記情報取得手段によって取得された情報をデジタル放送における標準のデータ放送形式に変換する変換手段と、前記変換手段によって変換された録画番組の情報を録画番組の映像エレメンタリーストリーム及び音声エレメンタリーストリームに多重しトランスポートストリームを作成する多重手段と、前記多重手段によって多重された録画番組を可搬記憶媒体に記憶する記憶手段を有する。【選択図】      図１
2004221662.tif 000002
【特許請求の範囲】
【請求項１】
デジタル放送で放送される番組を可搬記憶媒体に記憶するデジタル放送録画装置において、
録画番組の情報を取得する情報取得手段と、前記情報取得手段によって取得された情報をデジタル放送における標準のデータ放送形式に変換する変換手段と、前記変換手段によって変換された録画番組の情報を録画番組の映像エレメンタリーストリーム及び音声エレメンタリーストリームに多重しトランスポートストリームを作成する多重手段と、前記多重手段によって多重された録画番組を可搬記憶媒体に記憶する記憶手段を有することを特徴とするデジタル放送録画装置。
【請求項２】
前記デジタル放送録画装置は、視聴者の入力を受け付ける入力部を有し、前記情報取得手段は前記入力部の操作によって入力されることを特徴とする請求項１記載のデジタル放送録画装置。
【請求項３】
前記情報取得手段は、デジタル放送に多重されているサービス情報から自動で情報を取得することを特徴とする請求項１記載のデジタル放送録画装置。
【請求項４】
前記情報取得手段は、請求項２記載の特徴と請求項３記載の特徴を併せ持つことを特徴とする請求項１記載のデジタル放送録画装置。
【請求項５】
前記多重手段は、本来の放送に多重されているデータ放送のデータを破棄し、前記情報取得手段及び前記変換手段で作成された録画番組に関する情報のデータを多重することを特徴とする請求項１記載のデジタル放送録画装置。
【請求項６】
前記デジタル放送における標準のデータ放送形式は、ＢＭＬ形式であることを特徴とする請求項１記載のデジタル放送録画装置。
【発明の詳細な説明】
【０００１】
【発明の属する技術分野】
本発明は、デジタル放送録画装置に関し、特に録画時に録画番組の情報をＢＭＬ形式に変換し録画番組に多重して記憶することで、容易な操作で、再生機のメーカ・型番に拘らず録画番組の情報や視聴者の個人情報を確認できるデジタル放送録画装置に関する。
【０００２】
【従来の技術】
従来、放送番組を録画する際に、番組の情報や録画者の情報を同時に記録し、再生時に利用できるようにする発明は数多く提案されている。
【０００３】
録画番組の情報を同時に記録する提案は、主に記録媒体に記録されている全ての録画番組の録画日時や番組タイトル、録画時間等を記録し一覧にして表示することを目的とする。これを本明細書では録画番組のインデックス、若しくは単にインデックスと呼ぶ。
【０００４】
従来のアナログ放送では録画番組インデックス作成のための番組タイトル等の情報を視聴者が入力する必要があったが、デジタル放送では番組情報が番組に多重されて放送されるため、それを利用してインデックスを作成することができる。例えば、特開平１１−１５５１２２号が提案されている。
【０００５】
録画者の情報を記録する提案は、家族の様に複数人でデジタル放送受信装置や録画装置を共用する際に、記録媒体に記録した情報が録画者本人以外に視聴されたり、消去されたりすることを防ぐことを目的とするものである。例えば、特開２００１−０９４９２８号等が提案されている。
【０００６】
【発明が解決しようとする課題】
ところで、従来の技術では、これら録画番組に関する情報は、記憶媒体そのものに記憶されることは殆どなく、通常ビデオデッキ等の再生機やセットトップボックス（以下、単にＳＴＢ）に記憶される。記憶媒体が再生機やＳＴＢ内蔵のハードディスク等であればこれでも問題はないが、ＶＨＳのようなテープ媒体、ＤＶＤのようなディスク媒体のように、可搬記憶媒体の場合は、他の再生機ではインデックス情報や録画者の情報を確認できない。
【０００７】
又、可搬記憶媒体にインデックス情報や録画者情報を記憶したとしても、メーカ間で規格が統一されていないため、同一メーカ製の再生機でなければ情報を読み込めないという問題もある。
【０００８】
そこで、本発明は、可搬記録媒体に記録する録画番組に関する情報をＢＳ放送におけるデータ放送の標準言語で記憶することで、録画番組の再生中にデジタルテレビのデータ放送ボタンを押すだけで、メーカ・再生機によらず、録画時に記録した情報を確認できるデジタル放送録画装置を提供することを目的とする。
【０００９】
【課題を解決するための手段】
上記目的を達成するため、本発明は、デジタル放送で放送される番組を可搬記憶媒体に記憶するデジタル放送録画装置において、録画番組の情報を取得する情報取得手段と、前記情報取得手段によって取得された情報をデジタル放送における標準のデータ放送形式に変換する変換手段と、前記変換手段によって変換された録画番組の情報を録画番組の映像エレメンタリーストリーム及び音声エレメンタリーストリームに多重しトランスポートストリームを作成する多重手段と、前記多重手段によって多重された録画番組を可搬記憶媒体に記憶する記憶手段を有することを特徴とする。
【００１０】
【発明の実施の形態】
以下に本発明の実施の形態を添付図面に基づいて説明する。
【００１１】
＜実施の形態１＞
図１は本発明に係るデジタル放送録画装置の構成を示すブロック図である。
【００１２】
図１において、１０１は地上波放送、ＢＳ放送、ＣＳ放送等を受信するアンテナ、１０２はチューナ、１０３はＴＳのデマルチプレクサ、１０４は音声信号をデコードするオーディオデコーダ、１０５は映像信号をデコードするビデオデコーダ、１０６はＢＭＬ形式で放送されているデータ放送をデコードするデータ放送デコーダ、１０７はＥＰＧをデコードするＥＰＧデコーダ、１０８はリモコン、操作パネル等視聴者の入力を受け付ける入力部である。
【００１３】
又、１０９はシステム全体を制御するシステム制御部、１１０は録画される番組の情報をＳＩ情報から得、ＢＭＬ形式を作成する録画情報作成部、１１１は録画情報作成部１１０が作成したＢＭＬファイルをＤＳＭ−ＣＣデータカルーセル形式に変換するＢＭＬエンコーダ、１１２は録画用のストリームを再構成するマルチプレクサ、１１３は録画・再生を制御する録画再生制御部、１１４は録画番組を保存する可搬記録媒体、１１５はデコードの終了したデジタル音声をアナログ音声に変換するＤ／Ａ変換器、１１６はデコードの終了したビデオ信号やデータ放送の映像信号の出力を制御する表示制御部、１１７は音声出力装置、１１８は表示装置である。
【００１４】
本実施の形態は、可搬記憶媒体１１４に放送番組を録画すると同時に、録画者の情報、番組の情報を記録し、録画者以外が録画番組を視聴した際に、録画した人や録画の重要度、番組の内容を容易に確認できるように構成されている。尚、本実施の形態の放送規格はＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ、電波産業会）の規定するデジタル衛星放送を想定している。そのため、データ放送に用いられる標準言語はＢＭＬである。
【００１５】
先ず、本発明の実施の形態による番組録画を説明する。
【００１６】
視聴者は、入力部１０８を操作しシステムに番組の録画を指示する。システム制御部１０９は、入力部１０８の操作を監視し、番組の録画の指示があれば、チューナ１０２に対して録画選択されたチャネルを含むトランスポートストリーム（Ｔｒａｎｓｐｏｒｔ  Ｓｔｒｅａｍ、以下単にＴＳ）の受信開始を指示する。
チューナ１０２の出力したＴＳを、デマルチプレクサ１０３がビデオ、オーディオ、データ放送、サービス情報（Ｓｅｒｖｉｃｅ  Ｉｎｆｏｒｍａｔｉｏｎ、以下単にＳＩ）に分解する。
【００１７】
デマルチプレクサ１０３によって分解されたビデオのエレメンタリーストリーム（Ｅｌｅｍｅｎｔａｒｙ  Ｓｔｒｅａｍ、以下単にＥＳ）、オーディオのＥＳは、録画用のＴＳに再構成されるべくマルチプレクサ１１２に入力される。データ放送のストリームは、録画の際は必要ないことが多いため削除する。デマルチプレクサ１０３の出力したＳＩは、本来はＥＰＧ（Ｅｌｅｃｔｏｒｉｃ  Ｐｒｏｇｒａｍ  Ｇｕｉｄｅ、電子番組表、以下単にＥＰＧ）構成に用いられるが、本実施の形態ではＥＰＧデコーダ１０７でデコードされ、録画番組情報に必要な情報のみ録画番録画情報作成部１１０に送られる。必要とされる情報については後述する。
【００１８】
又、録画者の情報を得るために、システム制御部１０９は番組の録画の指示を受けると、図示しないメモリに予め用意してある録画情報入力画面をデータ放送デコーダ１０８に出力する。録画情報入力画面は図２のような表示を行うもので、視聴者は録画情報入力画面の指示に従い録画者や録画の重要度を入力していく。録画情報入力の詳しい動作については後述する。
【００１９】
録画情報入力画面で入力された情報は録画者の情報として録画情報作成部１１０に送られる。録画情報作成部１１０は、ＥＰＧデコーダ１０７から録画番組の情報と、システム制御部１０９から録画者の情報を受け取り、録画番組に多重する情報として複数のＢＭＬファイルを作成する。録画情報作成部１１０で作成されたＢＭＬファイルは、ＢＭＬエンコーダ１１１でＤＳＭ−ＣＣデータカルーセル形式にエンコードされ、マルチプレクサ１１２に入力される。
【００２０】
マルチプレクサ１１２は、ビデオのＥＳ、オーディオのＥＳ、録画情報作成部１１０、ＢＭＬエンコーダ１１１で作成された録画番組情報のＢＭＬストリームをマルチプレックスし、録画用のＴＳに再構成する。マルチプレクサによって作成された録画用ＴＳは、録画再生制御部１１３に送られ、記録媒体１１４に記録される。
【００２１】
録画番組に多重する情報を作成する手段を詳しく説明する。
【００２２】
先ず、録画者の情報を記録する手段を説明する。
【００２３】
視聴者が録画を指示すると、表示制御部１１６を通じて図２（ａ）のような録画者情報の作成を問う選択画面が表示される。本実施の形態では、録画者の情報として「録画した人」「録画の重要度」「消去条件」を想定している。視聴者が録画者情報の作成を望まない場合、録画者情報は作成されず録画番組には録画情報のみが多重される。視聴者が録画者情報の作成を望む場合は、図２（ｂ）のような「録画した人」情報の入力画面が表示される。「録画した人」には、「祖父」「祖母」「父」「母」「兄」「弟」「姉」「妹」の計８種類を用意し、選択できるようにしてある。視聴者が「録画した人」情報の入力を終えると、図２（ｃ）のような「録画の重要度」の入力画面に移り、「高」「通常」「低」から視聴者は重要度を選択する。
【００２４】
次に、図２（ｄ）のような「消去条件」の選択画面で消去条件を「永久保存」「１度見たら消去可」「消去可」「要確認」から選択する。録画情報作成部１１０の図示しないメモリには図３のような入力された情報を表示するための画面を作る録画者情報用ＢＭＬファイルの雛型が用意されており、入力された情報はこの雛型ファイルに当て嵌められる。録画者情報用ＢＭＬファイルの例は図４のようなものとなる。図４に示す通り、雛型ファイルには空欄１１９が用意されており、録画情報作成部１１０は、この空欄に情報を当て嵌めていくことでＢＭＬファイルを作成する。ＢＭＬファイルのフォーマット及び録画番組情報を構成する要素は予め決められており、ＢＭＬファイルに当て嵌めていくことは容易である。図２のような画面と、ＢＭＬファイルを書き換える手段は、ｊａｖａを用いて作成することが一般的である。この結果、本実施の形態では「録画者情報．ｂｍｌ」ファイルが作成される。
【００２５】
録画番組の情報の記録は、ＴＳに多重されているＳＩから自動で行う。本実施の形態では、図４のような情報を記録する。よって、ＥＰＧデコーダ１０７は、ＡＲＩＢの規格に従い放送されてくるＳＩの中から、番組概要の情報をＥＩＴ（Ｅｖｅｎｔ  Ｉｎｆｏｍａｔｉｏｎ  Ｔａｂｌｅ）の短形式イベント記述子から、番組詳細情報をＥＩＴの拡張形式イベント記述子から、放送日時をＥＩＴのｓｔａｒｔ＿ｔｉｍｅ要素から、番組属性情報の「種類」「放送事業者名」をＳＤＴ（Ｓｅｒｖｉｃｅ  Ｄｅｓｃｒｉｐｔｉｏｎ  Ｔａｂｌｅ）のサービス記述子から、「映像」「音声」「言語」をＥＩＴのコンポーネント記述子から、「ジャンル」をＥＩＴのコンテント記述子から、「視聴制限年齢」をＥＩＴのパレンタルレート記述子から得、録画情報作成部１１０に出力する。
【００２６】
録画情報作成部１１０の図示しないメモリには、図５のような表示を行うための録画番組情報用ＢＭＬファイルの雛型も用意されている。録画番組情報用ＢＭＬファイルの雛型の例を図６に示す。録画番組情報用ＢＭＬファイルは、多くの情報を視聴者が効率的に確認できるように階層構造になっている。録画情報作成部１１０は、録画情報の作成の指示を受けると、ＥＰＧデコーダ１０７から情報を受け取り、録画番組情報用の雛型ＢＭＬファイルの番組依存部分に当て嵌めていくことで録画番組情報用ＢＭＬファイルを作成する。
【００２７】
雛型ファイルには、録画者情報用ＢＭＬファイルと同様に空欄が用意されており、この空欄に情報を当て嵌めることでＢＭＬファイルを作成できる。この結果、本実施の形態では「番組概要．ｂｍｌ」と、「番組属性．ｂｍｌ」の２つのファイルが作成される。
【００２８】
更に、録画番組情報作成部１１０の図示しないメモリには、図７のような画面を表示する録画情報表示用ＢＭＬファイルが予め記録されている。図７の「録画メモ」「番組概要」「番組属性」は、それぞれ既に説明した録画者情報用ＢＭＬファイル「録画者情報．ｂｍｌ」と、録画番組情報用ＢＭＬファイル「番組概要．ｂｍｌ」「番組属性．ｂ  ｍｌ」へリンクするボタンである。このファイルを「録画情報．ｂｍｌ」とし、ＢＭＬファイルの例を図８に示す。
【００２９】
録画情報作成部１１０の作成した４つのＢＭＬファイルは、ＢＭＬエンコーダ１１１でＤＳＭ−ＣＣデータカルーセル形式のデータ構造に変換される。この変換はＡＲＩＢの規格に従って行われる。
【００３０】
ＢＭＬエンコーダ１１１の出力するデータカルーセルと、デマルチプレクサ１０３の出力するビデオのＥＳ、オーディオのＥＳをマルチプレクサ１１２でマルチプレクスし、録画形式であるＴＳを再構成して記憶媒体１１４に記録する。
【００３１】
次に、記録媒体１１４に記録されたＴＳを再生する場合の動作を説明する。
【００３２】
視聴者が入力部１０８を操作しシステム制御部１０９に録画番組の再生を指示すると、録画再生制御部１１３は記録媒体１１４からＴＳを読み出し、デマルチプレクサ１０３に出力する。デマルチプレクサ１０３は、ＴＳをデマルチプレックスし、オーディオのＥＳをオーディオデコーダ１０４に、ビデオのＥＳをビデオデコーダ１０５に、そしてデータ放送のデータをデータ放送デコーダ１０６に出力する。
【００３３】
データ放送デコーダ１０６のデコードするデータは、録画動作時に録画番組情報作成部１１０が作成したＢＭＬファイルである。視聴者が特に指示を送らない場合はビデオデコーダ１０５のデコードしたビデオ信号が表示制御部１１６で選択され、表示装置１１８に表示される、オーディオデコーダ１０４のデコードしたオーディオ信号がＤ／Ａ変換器１１５でアナログ信号に変換されて音声出力装置１１７から出力される。
【００３４】
視聴者は、録画番組の情報を確認したい場合、入力部１０８のデータ放送ボタンを押し、データ放送の表示を指示する。システム制御部１０９は、データ放送の表示を表示制御部１１６に指示する。表示制御部１１６は、表示を映像信号からデータ放送デコーダの出力に切り替える。
【００３５】
記録媒体１１４に記録されているデータ放送のデータは録画番組情報であるため、画面には図７が表示されることになり、視聴者はリモコンの操作で録画メモ／番組概要／番組属性情報を選択して決定ボタンを押すことで、図３、図５のように記録した情報を確認できる。可搬記憶媒体１１４には、受信機、再生機に依存する情報は存在しないため、デジタル放送を受信・再生できるどのようなシステムであっても、内容を確認することができる。
【００３６】
尚、本実施の形態では、放送の規格をＡＲＩＢのデジタル衛星放送としたが、本発明はこれに限らず、番組と同時に番組の情報を伝送するような放送形態全てに適用可能である。
【００３７】
又、本実施の形態では録画番組情報として記録する情報を図３、図５のように決めたが、本発明はこれに限らず、ＢＭＬ形式で表現できる情報であれば全ての番組情報を記録可能である。
【００３８】
更に、本実施の形態では、本来の放送に多重されているデータ放送を捨て、その代わりに録画情報のデータを多重するように説明したが、視聴者の判断で本来のデータ放送を録画するか、録画情報のデータを録画するかを選択できるようにしても良い。
【００３９】
＜実施の形態２＞
次に、本発明の実施の形態２について説明する。
【００４０】
図９は本発明に係るデジタル放送録画装置の実施の形態を示すブロック図である。尚、実施の形態１と同一の動作を行うものについては同一の符号を付し、説明を省略する。
【００４１】
本実施の形態においても、放送規格はＡＲＩＢの規定するデジタル衛星放送を想定した。データ放送に用いられる標準言語はＢＭＬである。
【００４２】
図９において、２０１はチューナ、２０２はＴＳのデマルチプレクサ、２０３はＥＰＧをデコードするＥＰＧデコーダ、２０４はシステム全体を制御するシステム制御部、２０５は受信したＴＳのハードディスク等固定式記憶装置への記録を制御す固定式記憶制御部、２０６はハードディスク等の固定式記憶装置である。
【００４３】
本実施の形態は、ハードディスク等固定記憶装置に録画された、可搬記憶媒体１枚分の録画番組をまとめて可搬記憶媒体にコピーする際に、可搬記憶媒体に記憶される番組のインデックスをＢＭＬ形式で録画番組に多重することで、録画番組インデックスを録画番組視聴中のいつでも簡単な操作で確認できるようにしたものである。
【００４４】
先ず、番組をハードディスクのような固定式の記憶媒体に記録する場合の動作を説明する。
【００４５】
本実施の形態では、番組は先ず固定式の記憶媒体に記憶され、固定式の記憶媒体に可搬記憶媒体１枚分の情報が蓄えられたところで可搬記憶媒体に録画番組をコピーするシステムを想定している。先ず、番組の録画が指示されると、システム制御部２０４は、指示された番組を含むＴＳの受信をチューナ２０１に指示する。チューナ２０１は、受信したＴＳをデマルチプレクサ２０２に出力するとともに、固定式記憶制御部２０５に出力する。
【００４６】
デマルチプレクサ２０２は、ＴＳからＳＩのみを抽出し、ＥＰＧデコーダ２０３に出力する。ＥＰＧデコーダ２０３は、受け取ったＳＩをデコードし、固定式記憶制御部２０５で必要とされる録画情報を固定式記憶制御部２０５に出力する。本実施の形態では、記憶する情報として、録画日、開始時刻、継続時間、番組タイトルを想定した。よって、ＥＰＧデコーダ２０３はＳＤＴ及びＥＩＴから、ｓｔａｒｔ＿ｔｉｍｅ（開始時刻）、ｄｕｒａｔｉｏｎ（継続時間）、ｓｅｒｖｉｃｅ＿ｎａｍｅ（番組名）を固定式記憶制御部２０５に出力する。
【００４７】
固定式記憶制御部２０５は、チューナ２０１から受け取ったＴＳを固定式記憶媒体２０６に記憶すると同時に、ＥＰＧデコーダ２０３から受け取った録画番組情報をＢＭＬ形式で保存する。録画番組情報を記述するＢＭＬファイルは、図１０のような表示を行うためのものであり、図１１のような雛型ファイルから作成される。固定式記憶制御部２０５は、ＥＰＧデコーダ２０３から受け取った録画番組情報を雛型ファイルの空欄に当て嵌めることで、「録画番組インデックス．ｂｍｌ」を作成する。
【００４８】
固定式記憶媒体２０６に記憶された番組を可搬記憶媒体１１４に記憶する際の動作を説明する。
【００４９】
固定式記憶制御部２０５は、固定式記憶媒体２０６に記憶されているＴＳを記憶された順に読み出し、デマルチプレクサ２０２に出力する。デマルチプレクサ２０２から先は実施の形態１と同様に動作し、マルチプレクサ１１２に映像のＥＳと音声のＥＳが入力される。本来の放送に多重されていたデータ放送は破棄される。固定式記憶制御部２０５は、先に作成した「録画番組インデックス．ｂｍｌ」をＢＭＬエンコーダ１１１に出力する。ＢＭＬエンコーダ１１１は、実施の形態１と同様に動作し、ＤＳＭ−ＣＣデータカルーセル形式のデータをマルチプレクサ１１２に出力する。マルチプレクサ１１２以降は実施の形態１と同様に動作し、可搬記憶媒体１１４に録画番組インデックスが多重された録画番組のＴＳが記憶される。
【００５０】
再生時の動作も実施の形態１と同一であり、視聴者は録画番組視聴中のいつでもデータ放送ボタンを押すだけで図１０のような録画番組インデックスを確認できる。可搬記憶媒体１１４には、受信機、再生機に依存する情報は存在しないため、デジタル放送を受信・再生できるどのようなシステムであっても、内容を確認することができる。
【００５１】
尚、本実施の形態でも実施の形態１と同様に、放送の規格をＡＲＩＢのデジタル衛星放送としたが、本発明はこれに限らず、番組と同時に番組の情報を伝送するような放送形態全てに適用可能である。
【００５２】
又、本実施の形態では、記憶する録画番組インデックスを図１０のように決めたが、本発明はこれに限定するものではなく、ＳＩ情報に多重されている情報は全てＢＭＬファイル化して録画番組インデックスとすることが可能である。
【００５３】
【発明の効果】
以上の説明で明らかなように、本発明によれば、可搬記録媒体に記録する情報をＢＳ放送におけるデータ放送の標準言語であるＢＭＬ形式で記憶することで、録画番組の再生中にデジタルテレビのデータ放送ボタンを押すだけで、メーカ・再生機によらず、録画時に記録した情報を確認できるデジタル放送録画装置を提供することができる。
【図面の簡単な説明】
【図１】本発明の実施の形態１を説明する説明図である。
【図２】図１における録画情報作成部の表示する録画者情報入力画面を説明する説明図である。
【図３】図１における録画情報作成部の作成した録画者情報用ＢＭＬファイルの表示形式を説明する説明図である。
【図４】図１における録画情報作成部の作成した録画者情報用ＢＭＬファイルを説明する説明図である。
【図５】図１における録画情報作成部の作成した録画番組情報用ＢＭＬファイルの表示形式を説明する説明図である。
【図６】図１における録画情報作成部の作成した録画番組情報用ＢＭＬファイルを説明する説明図である。
【図７】図１における録画情報作成部が記録している録画情報表示用ＢＭＬファイルの表示形式を説明する説明図である。
【図８】図１における録画情報作成部が記録している録画情報表示用ＢＭＬファイルを説明する説明図である。
【図９】本発明の実施の形態２を説明する説明図である。
【図１０】図９における固定式記憶制御部の作成した録画番組インデックス用ＢＭＬファイルの表示形式を説明する説明図である。
【図１１】図９における固定式記憶制御部の作成した録画番組インデックス用ＢＭＬファイルを説明する説明図である。
【符号の説明】
１０１    受信アンテナ
１０２    チューナ
１０３    デマルチプレクサ
１０４    オーディオデコーダ
１０５    ビデオデコーダ
１０６    データ放送デコーダ
１０７    ＥＰＧデコーダ
１０８    入力部
１０９    システム制御部
１１０    録画情報作成部
１１１    ＢＭＬエンコーダ
１１２    マルチプレクサ
１１３    録画再生制御部
１１４    記憶媒体
１１５    Ｄ／Ａ変換器
１１６    表示制御部
１１７    音声出力装置
１１８    表示装置
２０１    チューナ
２０２    デマルチプレクサ
２０３    ＥＰＧデコーダ
２０４    システム制御部
２０５    固定式記憶制御部
２０６    固定式記憶装置
【図１】
2004221662.tif 000003
【図２】
2004221662.tif 000004
【図３】
2004221662.tif 000005
【図４】
2004221662.tif 000006
【図５】
2004221662.tif 000007
【図６】
2004221662.tif 000008
【図７】
2004221662.tif 000009
【図８】
2004221662.tif 000010
【図９】
2004221662.tif 000011
【図１０】
2004221662.tif 000012
【図１１】
2004221662.tif 000013